(57)【要約】  【課題】  オルタネート録画により記録されたコンテンツかどうかを、ジャンル情報により判別可能であるＨＤＤ内蔵ＤＶＤレコーダを提供する。  【解決手段】  コンテンツ録画指示を受けた際に、録画に使用される記録媒体にＤＶＤメディア９１が指定されており（Ｓ１２０）、かつ記録可能なＤＶＤメディア９１がＤＶＤスロット２３に存在するか確認を行う（Ｓ１３０）。記録可能なＤＶＤメディアが存在する場合は通常通りの録画処理を行うが（Ｓ１３５）、存在しない場合はＨＤＤ１３を用いてオルタネート録画（代替録画）を行う。オルタネート録画によって作成された録画コンテンツには、ジャンル情報としてオルタネートジャンルが設定される（Ｓ１６０ａ、Ｓ１６０ｂ）。【選択図】      図１
2007058913.tif 000002
【特許請求の範囲】
【請求項１】
記録媒体としてＤＶＤメディアを用いて映像情報の記録処理を行うＤＶＤメディア記録
手段と、
前記ＤＶＤメディアを用いた記録処理が実施不可能である状況において前記ＤＶＤメデ
ィア記録手段を用いた前記映像情報の記録指示をユーザーより受け付けた際に、記録処理
に用いる前記記録媒体を前記ＤＶＤメディアからハードディスクに切り替えることにより
前記映像情報の代替記録処理を行う代替記録手段と、
前記ＤＶＤメディア及び前記ハードディスクに記録されている前記映像情報を、前記映
像情報のジャンルを示す情報であるジャンル情報をもとに分別して表示するジャンル別表
示手段と、
を備えたハードディスク内蔵ＤＶＤレコーダにおいて、
前記代替記録処理を用いて前記映像情報を前記ＤＶＤメディアに記録する際に、前記映
像情報がジャンル情報を持たない場合に、前記映像情報が前記代替記録手段により記録さ
れたことを示す識別情報をジャンル情報として設定するジャンル情報設定手段と、
前記代替記録処理を用いて前記映像情報を前記ＤＶＤメディアに記録する際に、前記映
像情報が既に何らかの前記ジャンル情報を持つ場合に、前記映像情報が前記代替記録手段
により記録されたことを示す識別情報を前記ジャンル情報に追加するジャンル情報追加手
段と、
を備えたことを特徴とするハードディスク内蔵ＤＶＤレコーダ。
【請求項２】
記録媒体として外部光学記録媒体を用いて映像情報の記録処理を行う外部光学記録媒体
記録手段と、
前記外部光学記録媒体を用いた記録処理が実施不可能である状況において前記外部光学
記録媒体記録手段を用いた前記映像情報の記録指示をユーザーより受け付けた際に、記録
処理に用いる前記記録媒体を前記外部光学記録媒体から内部記録媒体に切り替えることに
より前記映像情報の代替記録処理を行う代替記録手段と、
前記外部光学記録媒体及び前記内部記録媒体に記録されている前記映像情報を、前記映
像情報の分野を示す情報である分野情報をもとに分別して表示する分野別表示手段と、
を備えた記録再生装置において、
前記代替記録処理を用いて前記映像情報を前記外部光学記録媒体に記録する際に、前記
映像情報が分野情報を持たない場合に、前記映像情報が前記代替記録手段により記録され
たことを示す識別情報を分野情報として設定する分野情報設定手段
を備えたことを特徴とする記録再生装置。
【請求項３】
前記代替記録処理を用いて前記映像情報を前記外部光学記録媒体に記録する際に、前記
映像情報が既に何らかの前記分野情報を持つ場合に、前記映像情報が前記代替記録手段に
より記録されたことを示す識別情報を前記分野情報に追加する分野情報追加手段
を備えたことを特徴とする請求項２に記載の記録再生装置。
【請求項４】
記録媒体としてＤＶＤメディアを用いて映像情報の記録処理を行うＤＶＤメディア記録
工程と、
前記ＤＶＤメディアを用いた記録処理が実施不可能である状況において前記ＤＶＤメデ
ィア記録工程において前記映像情報の記録指示をユーザーより受け付けた際に、記録処理
に用いる前記記録媒体を前記ＤＶＤメディアからハードディスクに切り替えることにより
前記映像情報の代替記録処理を行う代替記録工程と、
前記ＤＶＤメディア及び前記ハードディスクに記録されている前記映像情報を、前記映
像情報のジャンルを示す情報であるジャンル情報をもとに分別して表示するジャンル別表
示工程と、
を有する記録再生方法において、
前記代替記録処理を用いて前記映像情報を前記ＤＶＤメディアに記録する際に、前記映
像情報がジャンル情報を持たない場合に、前記映像情報が前記代替記録工程において記録
されたことを示す識別情報をジャンル情報として設定するジャンル情報設定工程と、
前記代替記録処理を用いて前記映像情報を前記ＤＶＤメディアに記録する際に、前記映
像情報が既に何らかの前記ジャンル情報を持つ場合に、前記映像情報が前記代替記録工程
において記録されたことを示す識別情報を前記ジャンル情報に追加するジャンル情報追加
工程と、
を有することを特徴とする記録再生方法。
【請求項５】
記録媒体として外部光学記録媒体を用いて映像情報の記録処理を行う外部光学記録媒体
記録工程と、
前記外部光学記録媒体を用いた記録処理が実施不可能である状況において前記外部光学
記録媒体記録工程において前記映像情報の記録指示をユーザーより受け付けた際に、記録
処理に用いる前記記録媒体を前記外部光学記録媒体から内部記録媒体に切り替えることに
より前記映像情報の代替記録処理を行う代替記録工程と、
前記外部光学記録媒体及び前記内部記録媒体に記録されている前記映像情報を、前記映
像情報の分野を示す情報である分野情報をもとに分別して表示する分野別表示工程と、
を有する記録再生方法において、
前記代替記録処理を用いて前記映像情報を前記外部光学記録媒体に記録する際に、前記
映像情報が分野情報を持たない場合に、前記映像情報が前記代替記録工程において記録さ
れたことを示す識別情報を分野情報として設定する分野情報設定工程
を有することを特徴とする記録再生方法。
【請求項６】
前記代替記録処理を用いて前記映像情報を前記外部光学記録媒体に記録する際に、前記
映像情報が既に何らかの前記分野情報を持つ場合に、前記映像情報が前記代替記録工程に
おいて記録されたことを示す識別情報を前記分野情報に追加する分野情報追加工程
を有することを特徴とする請求項５に記載の記録再生方法。
【発明の詳細な説明】
【技術分野】
【０００１】
本発明は、ＨＤＤ（Hard Disk Drive）を内蔵したＤＶＤ（Digital Versatile Disk）
レコーダに関するものであり、特にＤＶＤメディア（外部光学記録媒体）に対する記録が
実施不可能である状況におけるＨＤＤへの代替記録方法に関する。
【背景技術】
【０００２】
近年、テレビ等の映像装置において処理されるコンテンツ（番組）の録画（記録）およ
び再生を行うための装置として、記録媒体に外部光学記録媒体を用いたＤＶＤレコーダ、
或いは記録媒体に磁気記録媒体を用いたＨＤＤレコーダ等の記録再生装置が広く普及して
いる。このうち、ＤＶＤおよびＨＤＤの両方を搭載した記録再生装置であるハードディス
ク内蔵ＤＶＤレコーダにおいては、ＤＶＤメディアへの録画が実施不可である場合に、一
時的に録画コンテンツをＨＤＤ等の別記録媒体に録画するオルタネート録画機能（代替録
画機能）を備えているものが存在する。
【０００３】
オルタネート録画機能は、ユーザーより録画指示を受け、かつ録画用メディアにＤＶＤ
メディアが指定されている場合において用いられる機能である。この機能によれば、例え
ばＤＶＤスロットにＤＶＤメディアが存在しない場合に、自動的に記録媒体をＤＶＤメデ
ィアからＨＤＤ等の他記憶媒体に変更して録画を行うことが可能である。また例えば、書
き込み不可状態のＤＶＤメディアがＤＶＤスロットに収納されている場合や、録画実施中
にＤＶＤメディアの記憶可能容量が不足した場合、もしくはＤＶＤメディアダビング中に
予約録画が実行された場合等に、オルタネート録画機能を用いれば、ＤＶＤメディアに記
録される予定であったコンテンツを一時的にＨＤＤに記録することが可能である。
【０００４】
しかしながら従来のオルタネート録画機能においては、オルタネート録画によりＨＤＤ
に記録されたコンテンツと、通常の録画によりＨＤＤに録画されたコンテンツが混在した
場合、コンテンツの管理が煩雑になりやすいという問題があった。例えば、オルタネート
録画したコンテンツを通常のコンテンツと間違えて消去してしまい、後でＤＶＤメディア
へのダビングが不可能になるという不具合が発生する可能性があった。また、オルタネー
ト録画をしたコンテンツはその後ＤＶＤメディアへのダビングを行うのが普通であるが、
どれがオルタネート録画したコンテンツであるかをユーザーが忘れた場合、コンテンツの
詳細情報、或いは録画履歴等を確認しなければならず、手間がかかるという問題があった
。
【０００５】
上記の問題に関連して特許文献１においては、録画予約にかかる録画の実行状況および
実行履歴をユーザーが容易に確認でき、かつユーザーの使用性を向上させることを目的と
した記録制御装置が開示されている。
【０００６】
特許文献１の記録制御装置は、複数の記録部に対して、受信された放送コンテンツの信
号を供給するとともに信号の記録を行うことが可能である。そして、記録部を指定しての
放送コンテンツの予約記録設定を行う場合において、予約記録設定された予約項目に応じ
て放送コンテンツを指定された記録部へ記録する。制御部は、録画処理の実行状況に応じ
た履歴項目を生成し、実行履歴情報として記録する。実行履歴情報は、履歴項目一覧表示
画面において、ユーザーに対して表示される。
【０００７】
特許文献１の発明によれば、予約記録設定された予約項目に応じて指定された記録部に
おいて記録が実行される場合、その記録の実行状況が履歴項目として実行履歴情報に登録
され、実行履歴情報として登録された履歴項目が表示部に一覧表示される。このためユー
ザーは履歴項目の一覧表示を確認することで、予約録画が正常に実行されたか否かを確認
することができる。又、頭欠けや後欠け等の記録状況も含んで表示することにより、それ
らの状況も確認することができる。このため、それら状況の確認のために実際に録画され
た番組等を再生するなどの手間がなくなり、ユーザーにとって快適な使用性を実現できる
。また詳細情報としてより多様かつ詳細な実行状況を表示することも可能である。また詳
細情報は履歴項目を選択することで表示されるようにすれば、履歴項目の一覧表示が煩雑
になることもない。また複数の記録部において選択的に記録を実行させることのできる機
器であることから、履歴項目には記録を実行させた機器をユーザーが認識できるような情
報（記録部を示す情報）を表示させることで、よりユーザーにとって便利な表示内容とす
ることが可能である。
【０００８】
また、上記問題に関連して特許文献２においては、画像のライブラリ情報をハードディ
スク内で一元管理することができ、かつ放送されたコンテンツを外部記録媒体に記録した
場合に、外部記録媒体毎に記録の実施履歴を管理することが可能である放送受信装置が開
示されている。
【０００９】
特許文献２の放送受信装置は、番組および前記番組に関する番組情報が含まれる放送を
受信して記録を行う際に、内部記録媒体に記録を行うか、もしくは外部接続される外部記
憶媒体へ記録するかを選択することが可能である。そして、内部記録媒体に記録された番
組と外部記録媒体に記録された番組とを、互いに記録された番組情報に基づいて比較し、
番組情報テーブルを作成する。番組情報テーブルは、内部記録媒体だけではなく、外部記
録媒体へも記録される。
【００１０】
特許文献２の発明によれば、
放送受信装置で作成される番組情報テーブルが個々のＤＶＤメディアにそれぞれ記録さ
れることで、ＤＶＤメディア毎に番組情報を管理することができる。また、これを表示す
ることで、ＨＤＤに記録された多数の番組の中から保存したい番組候補を検索することが
できるため、放送受信装置の利便性を向上させることができる。
【００１１】
しかしながら、上記の特許文献１および特許文献２に開示されている発明においても、
ＨＤＤに記憶されているコンテンツのうち、どれがオルタネート録画機能により一時的に
録画されているコンテンツであるかの確認をコンテンツ一覧表示画面等において容易に視
認する機能が備わっていないという問題があった。そのため、オルタネート録画されてい
るＨＤＤのデータをＤＶＤメディアにダビングする場合に、例えば録画履歴等を確認した
り、或いはコンテンツ詳細情報を確認する必要があり、作業効率が悪いという問題があっ
た。また特許文献２開示されているように、個々のＤＶＤメディアに管理情報を記録する
方法はＤＶＤメディアに独自の管理情報を書き込むため、作業効率及び管理効率が悪く、
また技術的にも困難を伴うという問題があった。
【特許文献１】特開２００５−１１７４４８号公報
【特許文献２】特開２００５−０２０２４３号公報
【発明の開示】
【発明が解決しようとする課題】
【００１２】
本発明は、上記の問題を解決するためになされたものであって、その目的は、オルタネ
ート録画によってＨＤＤに記録された映像情報の管理を容易にすると共に、ユーザーがオ
ルタネート録画を行った映像情報を容易に判別でき、かつ各種処理において通常録画コン
テテンツとオルタネート録画コンテンツとを分別して処理を行うことが容易であり、かつ
外部記憶媒体に管理情報を分散して記憶させる必要のない映像情報管理機能を備えたＨＤ
Ｄ内蔵ＤＶＤレコーダを提供することにある。
【課題を解決するための手段】
【００１３】
上記目的を達成するために本発明のＨＤＤ内蔵ＤＶＤレコーダは、
記録媒体として外部光学記録媒体を用いて映像情報の記録処理を行う外部光学記録媒体
記録手段と、
前記外部光学記録媒体を用いた記録処理が実施不可能である状況において前記外部光学
記録媒体記録手段を用いた前記映像情報の記録指示をユーザーより受け付けた際に、記録
処理に用いる前記記録媒体を前記外部光学記録媒体から内部記録媒体に切り替えることに
より前記映像情報の代替記録処理を行う代替記録手段と、
前記外部光学記録媒体及び前記内部記録媒体に記録されている前記映像情報を、前記映
像情報の分野を示す情報である分野情報をもとに分別して表示する分野別表示手段と、
を備えた記録再生装置において、
前記代替記録処理を用いて前記映像情報を前記外部光学記録媒体に記録する際に、前記
映像情報が分野情報を持たない場合に、前記映像情報が前記代替記録手段により記録され
たことを示す識別情報を分野情報として設定する分野情報設定手段
を備えたことを特徴としている。
【００１４】
この構成によると、
ユーザーよりコンテンツ（映像情報）の録画指示（記録指示）を受け付けた際に、録画
に使用される記録媒体にＤＶＤメディア（外部光学記録媒体）が指定されており、かつ記
録可能なＤＶＤメディアがＤＶＤスロットに存在するかどうか確認を行う。上記において
記録可能なＤＶＤメディアが存在しない場合、ＨＤＤ（内部記録媒体）を用いてオルタネ
ート録画（代替録画）を行う。オルタネート録画によって作成されたコンテンツにジャン
ル情報（分野情報）が設定されていない場合、ジャンル情報としてオルタネートジャンル
（コンテンツがオルタネート録画によって記録されたことを示す識別情報）が設定される
。
【００１５】
また、上記目的を達成するために本発明のＨＤＤ内蔵ＤＶＤレコーダは、
前記代替記録処理を用いて前記映像情報を前記外部光学記録媒体に記録する際に、前記
映像情報が既に何らかの前記分野情報を持つ場合に、前記映像情報が前記代替記録手段に
より記録されたことを示す識別情報を前記分野情報に追加する分野情報追加手段
を備えたことを特徴としている。
【００１６】
この構成によると、
オルタネート録画によって作成されたコンテンツに既になんらかのジャンル情報が設定
されている場合、設定されているジャンル情報に付随してオルタネートジャンルを自動的
に追加することが可能である。
【発明の効果】
【００１７】
本発明の第一の構成によれば、
オルタネート録画により作成されたコンテンツのジャンル情報に自動的にオルタネート
ジャンルが設定される。これにより、例えばオルタネートジャンルのコンテンツをグルー
プ化してなんらかの一括処理を行う等が可能となる。また例えば、ユーザーよりコンテン
ツのジャンル別表示画面等の表示指示を受け付けた際に、オルタネートジャンルのコンテ
ンツのみを表示することが可能である。これにより、ユーザーは通常のコンテンツとオル
タネートコンテンツを容易に判別することができるため、ユーザーにとっての利便性が向
上する。また、オルタネート録画したコンテンツをＤＶＤメディアに対してダビングする
のをユーザーが忘れてしまったり、或いは通常の録画コンテンツと誤認識して削除してし
まう等の問題を防止することが可能である。
【００１８】
本発明の第二の構成によれば、
オルタネート録画により作成されたコンテンツのジャンル情報に既に何らかのジャンル
が設定されている場合でも、自動的にジャンル情報にオルタネートジャンルを追加する。
これにより、既に設定されているジャンル情報に影響を与えることなく、オルタネートジ
ャンルの設定を行うことが可能である。
【発明を実施するための最良の形態】
【００１９】
本発明の実施の一形態について、図面に基づいて説明すれば、以下の通りである。
［実施の形態］
〈１．ＨＤＤ内蔵ＤＶＤレコーダの内部構成について〉
ここで、本発明の第一の実施形態におけるＨＤＤ内蔵ＤＶＤレコーダ１の電気回路シス
テムの要部構成を、図３のブロック図を用いながら説明する。
【００２０】
図３のブロック図に示すように、本発明のＨＤＤ内蔵ＤＶＤレコーダ１は、少なくとも
、制御部１１、メモリ１２、ＨＤＤ１３、データ入力部１４、エンコーダ部１５、デコー
ダ部１６、データ出力部１７、制御プログラム記憶部１８、操作ボタン群２１、フロント
パネル２２、およびＤＶＤスロット２３を含むように構成されている。
【００２１】
制御部１１は、ＨＤＤ内蔵ＤＶＤレコーダ１の各部材の駆動を有機的に制御することに
より映像情報処理（コンテンツの録画、或いは再生等）を統括制御するための中央処理装
置である。また制御部１１は、各装置（例えばＨＤＤ１３等）の制御やデータの計算、加
工処理等を行なう中枢部分となっている。
【００２２】
メモリ１２は、ＨＤＤ内蔵ＤＶＤレコーダ１が保持する各種データを一時的に記憶する
媒体であり、例えば書込可能なＲＡＭ（Random Access Memory）等により構成されている
。メモリ１２は、例えば制御部１１によって各種情報処理が行われる際の処理データや、
ユーザーから受けた指示命令等を一時的に記憶しておくためのバッファメモリとしての役
割を持つ。
【００２３】
ＨＤＤ１３は、ＨＤＤ内蔵ＤＶＤレコーダ１が保持する各種データ（映像情報、コンテ
ンツ情報等）を記録するための磁気記録媒体である。なお、ＨＤＤ１３は、複数の領域（
パーティション）に物理的に分割することが可能であり、記憶するデータの種別（映像情
報、コンテンツ情報等）に応じて領域別に記憶することがより望ましい。
【００２４】
データ入力部１４は、例えばデジタルチューナーなどの外部装置からデジタルデータ（
映像情報）を入力するための入力インタフェースである。また、例えばアナログデータを
入力する場合は、Ａ／Ｄコンバータ（Analog Digital Converter）を用いてアナログの映
像データおよび音声データをデジタルデータに変換して入力することが可能である。
【００２５】
エンコーダ部１５は、映像データをＭＰＥＧ２等の動画圧縮方式により圧縮（エンコー
ド）を行ったり、音声データをＤｏｌｂｙ  ＡＣ−３やＬＰＣＭ等の音声圧縮方式により
圧縮を行うための処理回路である。なお、圧縮を行うデータとしては、例えばデータ入力
部１４より入力された映像データおよび音声データ等が対象となる。
【００２６】
デコーダ部１６は、前記エンコーダ部１５等により圧縮された映像データおよび音声デ
ータを伸長（デコード）するための処理回路である。伸張が行われたデータは、例えば後
述するデータ出力部１７等を用いて外部機器に対して出力される。
【００２７】
データ出力部１７は、例えばモニターなどの外部装置に対して映像データおよび音声デ
ータを出力するための出力インタフェースである。なお、例えば出力先の機器がアナログ
インタフェースしか備えていない場合は、Ｄ／Ａコンバータ（Digital Analog Converter
）を用いてデジタルの映像データおよび音声データをアナログデータに変換して出力する
ことが可能である。
【００２８】
制御プログラム記憶部１８は、例えば制御部１１を用いた各種処理（例えば映像データ
の入出力制御等）を行うためのプログラムデータを記憶するための媒体であり、例えば情
報の読み出しのみが可能なＲＯＭ（Read Only Memory）等が用いられる。
【００２９】
操作ボタン群２１は、ユーザーが番組の録画および録画予約等の各種指示をＨＤＤ内蔵
ＤＶＤレコーダ１に対して行なうための入力インターフェースである。フロントパネル２
２は、ＨＤＤ内蔵ＤＶＤレコーダ１の各種情報をユーザーに対して表示するためのユーザ
ーインタフェースである。
【００３０】
ＤＶＤスロット２３は、ＤＶＤメディア９１を格納し、ＤＶＤメディア９１に対して光
学的に各種データの読み込み、または書き込みを行うための光学装置である。なお、ＤＶ
Ｄには複数の規格が存在するため、ＤＶＤスロット２３の規格に準拠したＤＶＤメディア
９１を使用しなければ、各種処理（録画、再生等）を行うことができない。
〈２．コンテンツ録画処理工程について〉
ここで、本発明のＨＤＤ内蔵ＤＶＤレコーダ１におけるコンテンツ録画処理の処理工程
を、図１のフロー図と、図３のブロック図とを用いながら説明する。
【００３１】
図１に示すように、制御部１１がユーザーより、放送コンテンツの録画指示を検知する
ことにより本処理が開始される（Ｓ１１０）。なお、放送コンテンツの録画指示は、例え
ばユーザーが操作ボタン群２１を用いてコンテンツの録画操作を行なった場合、或いは録
画予約設定により定められた録画時刻が到来した場合等により発行される。
【００３２】
コンテンツ録画指示を受けた制御部１１は、録画指示において指定されている録画対象
の記録媒体として、ＤＶＤメディア９１が指定されているかどうかを確認する（Ｓ１２０
）。ＤＶＤメディア９１が指定されている場合、次の処理へ移行する。ＤＶＤメディア９
１が指定されていない場合は、通常通りＨＤＤ１３に録画処理を行い、本処理を終了する
（Ｓ１２５）。なおＨＤＤ１３に対する通常録画処理は従来技術と同様であるため、ここ
では説明を省略する。
【００３３】
ＤＶＤメディア９１への録画指示を受けた制御部１１は、記録可能状態のＤＶＤメディ
ア９１がＤＶＤスロット２３に収納されているかの確認を行う（Ｓ１３０）。例えば、Ｄ
ＶＤメディア９１がスロット２３に存在するか、或いはＤＶＤメディア９１に書き込み禁
止設定がなされていないか、或いは記録可能な規格のＤＶＤメディア９１であるか、或い
はＤＶＤメディア９１がダビング等の他処理に使用されていないか、等の確認を行う。ま
た例えば、予約録画機能等により録画時間の指定がなされている場合は、録画処理に必要
な記憶容量を算出し、ＤＶＤメディア９１に十分な空き容量があるかの確認を行うことも
可能である。
【００３４】
前記Ｓ１３０において、記録可能状態のＤＶＤメディア９１の認識に成功した場合、Ｄ
ＶＤメディア９１に対して通常のコンテンツ記録処理を行い（Ｓ１３５）、本処理を終了
する。なおＤＶＤメディア９１に対する通常のコンテンツ記録処理の処理内容については
従来技術と同様であるため、ここでは説明を省略する。
【００３５】
逆に、前記Ｓ１３０において、記録可能状態のＤＶＤメディア９１の認識に失敗した場
合、制御部１１は、記憶対象メディアをＤＶＤメディア９１からＨＤＤ１３に切り替え、
ＨＤＤ１３を用いてオルタネート録画（代替録画）処理を行う（Ｓ１４０）。
【００３６】
オルタネート録画を完了した制御部１１は、作成されたコンテンツに対してジャンル情
報の指定がユーザーよりなされているかどうかの確認を行う（Ｓ１５０）。ジャンル情報
の指定がなされている場合は、既に指定されているジャンル情報（例えば旅行、サイクリ
ング等）に、オルタネートジャンル（当該コンテンツがオルタネート録画により作成され
たものであることを示すジャンル情報）を追加し、ＨＤＤ１３に記憶する（Ｓ１６０ａ）
。ジャンル情報の指定がなされていない場合は、オルタネートジャンルを新規にジャンル
情報として設定し、ＨＤＤ１３に記憶する（Ｓ１６０ｂ）。
〈３．コンテンツ情報表示処理工程について〉
ここで、本発明のＨＤＤ内蔵ＤＶＤレコーダ１における録画コンテンツのコンテンツ情
報表示処理の処理工程を、図２のフロー図と、図３のブロック図と、図４の画面図とを用
いながら説明する。
【００３７】
図２に示すように、制御部１１がユーザーより、ＤＶＤメディア９１に記録されている
コンテンツ情報の表示指示を受け付けることにより本処理が開始される（Ｓ２１０）。な
お、コンテンツ情報表示指示は、例えばユーザーが操作ボタン群２１を用いてコンテンツ
情報の表示操作等を行なった場合や、ＤＶＤメディア９１がＤＶＤスロット２３に挿入さ
れた際に行われるメディア検知処理の成功等により発行される。
【００３８】
ユーザーよりコンテンツ情報表示指示を受けた制御部１１は、表示指示の中にジャンル
情報に基づいて行われる処理（例えばコンテンツ情報のジャンル別並び替え、或いは特定
のジャンルのみの限定表示等）が含まれているかどうかを確認する（Ｓ２２０）。含まれ
ていない場合、通所のコンテンツ情報の表示を行い、本処理を終了する（Ｓ２２５）。な
お、通常のコンテンツ情報の表示処理については従来技術と同様であるため、ここでは説
明を省略する。
【００３９】
前記Ｓ２２０において、ジャンル情報に基づく処理が含まれていると判断された場合、
全コンテンツの中から、ジャンル情報にオルタネートジャンルが含まれているコンテンツ
を検索する。（Ｓ２３０）。そして前記検索結果をもとに、オルタネートジャンル情報を
用いた表示処理（例えばオルタネートジャンルのコンテンツのコンテンツ情報のみを限定
して表示する等）を行う（Ｓ２４０）。
【００４０】
上記処理により表示されるコンテンツ情報表示画面の一例を、図４を用いて説明する。
図４は、ジャンルがオルタネートジャンルであるコンテンツのコンテンツ情報のみを表示
したコンテンツ情報表示画面である。図４においては、サムネイルＡ（自転車）及びサム
ネイルＤ（花壇）により示されるコンテンツに対して、ユーザー指定のジャンル情報（サ
イクリング、およびガーデニング）が設定されており、それに追加する形でオルタネート
ジャンルが設定されている。サムネイルＢ（車）及びサムネイルＣ（山）により示される
コンテンツについては、ユーザー指定のジャンル情報が特に設定されていないため、オル
タネートジャンルのみがジャンル情報に設定されている。
〈４．本発明の種々ある特徴について〉
本実施形態によると、コンテンツ録画指示を受け付けた際に、録画に使用される記録媒
体にＤＶＤメディア９１が指定されており（Ｓ１２０）、かつ記録可能なＤＶＤメディア
９１がＤＶＤスロット２３に存在するか確認を行う（Ｓ１３０）。記録可能なＤＶＤメデ
ィアが存在する場合は通常通りの録画処理を行うが（Ｓ１３５）、存在しない場合はＨＤ
Ｄ１３を用いてオルタネート録画（代替録画）を行う。オルタネート録画によって作成さ
れた録画コンテンツには、ジャンル情報としてオルタネートジャンルが設定される（Ｓ１
６０ａ、Ｓ１６０ｂ）。また本実施形態によると、ユーザーよりコンテンツ情報一覧画面
等のジャンル情報を表示する画面の表示指示を受け付けた際に（Ｓ２１０）、コンテンツ
に付加されているジャンル情報を参照し（Ｓ２２０）、オルタネートジャンルであるコン
テンツを検索する（Ｓ２３０）。
【００４１】
これにより、オルタネートジャンルのコンテンツをグループ化してなんらかの一括処理
を行う等の、ジャンルを利用した処理にオルタネートジャンルを使用することが可能とな
る。例えば、ユーザーよりコンテンツのジャンル別表示画面等の表示指示を受け付けた際
に、オルタネートジャンルのコンテンツのみを表示することが可能である。また、ユーザ
ーはコンテンツの詳細や録画履歴を参照することなく、通常録画コンテンツとオルタネー
トコンテンツを容易に判別することができるため、ユーザーにとっての利便性が向上する
。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実施することができる。
【００４２】
例えば前述した実施形態の機能を実現するソフトウェアのプログラムコードを記録した
記録媒体を、ＨＤＤ内蔵ＤＶＤレコーダ１に供給し、そのＨＤＤ内蔵ＤＶＤレコーダ１内
のコンピュータ（例えばＣＰＵ）が記録媒体に格納されたプログラムコードを読出し実行
することによっても、達成されることは言うまでもない。
【００４３】
この場合、記録媒体から読出されたプログラムコード自体が、前述した実施形態の機能
を実現することになり、そのプログラムコードを記憶した記録媒体は本発明を構成するこ
とになる。
【００４４】
なお、プログラムコードを供給するための記録媒体としては、例えば、フロッピディス
ク、ハードディスク、光ディスク、光磁気ディスク、ＣＤ−ＲＯＭ、ＣＤ−Ｒ、磁気テー
プ、不揮発性のメモリカード、ＲＯＭなどを用いることができる。
【００４５】
また、コンピュータが読出したプログラムコードを実行することにより、前述した実施
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実施形態の機能が実現される場合も含まれることは
言うまでもない。
【００４６】
さらに、記録媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実施形態
の機能が実現される場合も含まれることは言うまでもない。
【００４７】
また、本発明の映像情報処理方法が、ＨＤＤ内蔵ＤＶＤレコーダ以外の、ＤＶＤおよび
ＨＤＤを搭載した記録再生装置において用いられたとしても、同様の効果がえられること
は言うまでもない。なお、ＤＶＤとＨＤＤの両方を搭載可能な記録再生装置としては、例
えばビデオテープレコーダ（ＶＴＲ）、ＤＶレコーダ、デジタルビデオカメラ、パソコン
等が考えられる。
【図面の簡単な説明】
【００４８】
【図１】本発明のＨＤＤ内蔵ＤＶＤレコーダによるコンテンツ録画処理の処理フロー図である。
【図２】本発明のＨＤＤ内蔵ＤＶＤレコーダによるコンテンツ情報表示処理の処理フロー図である。
【図３】本発明のＨＤＤ内蔵ＤＶＤレコーダ内部の要部構成を示したブロック図である。
【図４】本発明のＨＤＤ内蔵ＤＶＤレコーダにおけるコンテンツ情報表示画面の一例を示した画面図である。
【符号の説明】
【００４９】
１      ＨＤＤ内蔵ＤＶＤレコーダ（記録再生装置）
１１    制御部
１２    メモリ
１３    ＨＤＤ（内部記録媒体）
１４    データ入力部
１５    エンコーダ部
１６    デコーダ部
１７    データ出力部
２３    ＤＶＤスロット
９１    ＤＶＤメディア（外部光学記録媒体）
【図１】
2007058913.tif 000003
【図２】
2007058913.tif 000004
【図３】
2007058913.tif 000005
【図４】
2007058913.tif 000006